(57)【要約】【課題】  バットプレートを有する場合において、センターピンのずれや外れを確実に防止でき、それにより、センターピンをバットフレンジに安定して保持できるアップライトピアノのバットを提供する。【解決手段】  ピン孔１１ｂを有するバットフレンジ１１に回動自在に支持され、鍵２２の押鍵に伴い、ハンマー３１を回動させることで打弦を行わせるアップライトピアノのバット４であって、バットプレート６の前面およびピン孔１１ｂに回動自在に挿入されたセンターピン４ａの一方に突起６ｂが設けられ、バットプレート６が、ハンマー３１と一体のバット本体５の背面に固定手段９により固定されている。当該バット４は、突起６ｂがバットプレート６の前面およびセンターピン４ａの他方に食い込むとともに、バット本体５とバットプレート６の間にセンターピン４ａを挟持した状態で、センターピン４ａを介してバットフレンジ１１に回動自在に支持されている。【選択図】  図４
2007206450.tif 000002
【特許請求の範囲】
【請求項１】
左右方向に貫通するピン孔を有するバットフレンジに回動自在に支持され、鍵の押鍵に伴い、ハンマーを回動させることによって打弦を行わせるアップライトピアノのバットであって、
前記ハンマーが一体に設けられたバット本体と、
バットプレートと、
前記バットフレンジの前記ピン孔に回動自在に挿入され、左右方向に延びるセンターピンと、
前記バットプレートの前面および前記センターピンの一方に設けられた突起と、
前記バットプレートを前記バット本体の背面に固定する固定手段と、を備え、
当該バットは、前記突起が前記バットプレートの前面および前記センターピンの他方に食い込むとともに、前記バット本体と前記バットプレートの間に前記センターピンを挟持した状態で、当該センターピンを介して前記バットフレンジに回動自在に支持されていることを特徴とするアップライトピアノのバット。
【請求項２】
前記固定手段は、ねじによって構成され、
前記突起は、前記バットプレートの前面に上下方向に延びており、
前記バットプレートは、前記ねじを締め付けることにより前記突起を前記センターピンに食い込ませながら、前記バット本体の背面に固定されることを特徴とする、請求項１に記載のアップライトピアノのバット。
【発明の詳細な説明】
【技術分野】
【０００１】
本発明は、左右方向に貫通するピン孔を有するバットフレンジに回動自在に支持され、鍵の押鍵に伴い、ハンマーを回動させることによって打弦を行わせるアップライトピアノのバットに関する。
【背景技術】
【０００２】
従来のアップライトピアノのバットとして、例えば特許文献１に開示されたものが知られている。このバットは、一般的な構成のもので、鍵ごとに設けられており、バットフレンジに支持されている。バットフレンジは、上方に突出する左右一対のバット支持部を有しており、各バット支持部には、左右方向に貫通するピン孔が形成されている。また、バットは、バットフレンジの左右のピン孔に挿入されたセンターピンを有しており、このセンターピンを介して、バットフレンジに水平に取り付けられている。さらに、バットには、ハンマーやキャッチャーなどが一体に取り付けられている（以下、バット、ハンマーおよびキャッチャーを総称し、「ハンマー組立品」という）。
【０００３】
また、アップライトピアノのバットとして、バット本体と、このバット本体に取り付けられたバットプレートを有するものが知られている。このタイプのバットでは、バット本体の背面に、左右方向に延びるピン保持溝が形成されている。バットプレートは、その孔に挿入された取付ねじによって、バット本体の背面に取り付けられている。この状態では、センターピンは、ピン保持溝に収容されるとともに、バット本体とバットプレートの間に挟持されており、それにより、バット本体およびバットプレートと一体になっている。以上の構成により、バットを含むハンマー組立品は、バットフレンジに回動自在に支持されている。
【０００４】
以上の構成のハンマー組立品は、鍵の押鍵に伴い、アクションのジャックによりバット本体が突き上げられることによって、センターピンを中心として後方に回動し、後方に張られた弦をハンマーが打弦することによって、ピアノ音が発生する。そして、この打弦後、ハンマー組立品は、弦の反発力によって元の位置に復帰回動する。
【０００５】
以上のような構成から、バット本体やセンターピンには、鍵が押鍵されるのに伴い、ジャックの突き上げや弦の反発による衝撃力が作用する。これに対し、センターピンは、ピン孔に挿入されるとともに、バット本体とバットプレートの間に単純に挟持されているので、この衝撃力によって、バット本体およびバットフレンジに対して左右方向に若干、ずれ、そのようなずれが蓄積されることによって、最終的には、センターピンがバットフレンジのピン孔から外れるおそれがある。さらに、上記のような押鍵時の衝撃力が繰り返し作用することにより、取付ねじが緩むことによって、バット本体とバットプレートとによるセンターピンの挟持力が弱まる場合があり、その場合にも、センターピンのずれや外れが生じやすくなる。
【０００６】
また、上記のようなセンターピンのずれや外れは、次のような場合に特に生じやすくなる。すなわち、アップライトピアノでは、アクションや弦などの配置の関係上、バットの回動の支点に対し、ハンマーが左右方向に非対称の状態で配置されることがある。この場合、ハンマー組立品の重心がその支点に対して左右方向にずれるため、ハンマーの回動の際に、センターピンを中心としてハンマーが左右方向にぶれるようなモーメント（以下「ぶれモーメント」という）が生じる。これにより、バット本体には、センターピンに対して斜めに傾かせるような外力が作用し、この外力は、バット本体のピン保持溝を介して、センターピンをバット本体およびバットフレンジに対して左右のいずれか一方の方向にのみ移動させるように作用する。その結果、センターピンのずれや外れが生じやすくなる。
【０００７】
本発明は、以上のような課題を解決するためになされたものであり、バットがバットプレートを有する場合において、センターピンのずれや外れを確実に防止でき、それにより、センターピンをバットフレンジに安定して保持することができるアップライトピアノのバットを提供することを目的とする。
【０００８】
【特許文献１】特開平６−２７９３４号公報
【発明の開示】
【課題を解決するための手段】
【０００９】
上記の目的を達成するため、請求項１に係る発明は、左右方向に貫通するピン孔を有するバットフレンジに回動自在に支持され、鍵の押鍵に伴い、ハンマーを回動させることによって打弦を行わせるアップライトピアノのバットであって、ハンマーが一体に設けられたバット本体と、バットプレートと、バットフレンジのピン孔に回動自在に挿入され、左右方向に延びるセンターピンと、バットプレートの前面およびセンターピンの一方に設けられた突起と、バットプレートをバット本体の背面に固定する固定手段と、を備え、バットは、突起がバットプレートの前面およびセンターピンの他方に食い込むとともに、バット本体とバットプレートの間にセンターピンを挟持した状態で、センターピンを介してバットフレンジに回動自在に支持されていることを特徴とする。
【００１０】
このアップライトピアノのバットでは、ハンマーと一体のバット本体の背面に、バットプレートが固定手段によって固定されており、センターピンは、バットフレンジのピン孔に回動自在に挿入され、左右方向に延びるとともに、バット本体とバットプレートの間に挟持されている。以上の構成により、バットは、センターピンを介して、バットフレンジに回動自在に支持されている。押鍵時には、バットは、センターピンを中心として回動し、それに伴い、ハンマーを回動させ、打弦を行わせることによって、ピアノ音が発生する。
【００１１】
また、本発明のバットによれば、バットプレートの前面およびセンターピンの一方に、突起が設けられており、この突起は、バットプレートの前面およびセンターピンの他方に食い込んでいるので、この突起によって、バットプレートに対するセンターピンの左右方向の移動が阻止される。したがって、前述したように、鍵の押鍵に伴ってセンターピンやバット本体に衝撃力やぶれモーメントが作用しても、バット本体およびバットフレンジに対するセンターピンのずれや外れを確実に防止でき、センターピンをバットフレンジに安定して保持することができる。
【００１２】
請求項２に係る発明は、請求項１に記載のアップライトピアノのバットにおいて、固定手段は、ねじによって構成され、突起は、バットプレートの前面に上下方向に延びており、バットプレートは、ねじを締め付けることにより突起をセンターピンに食い込ませながら、バット本体の背面に固定されることを特徴とする。
【００１３】
この構成によれば、突起は、バットプレートの前面に設けられており、バットプレートをねじで固定する際に、ねじの締め付けによってセンターピンに食い込ませられる。このように、バットプレートを固定する際に、突起をセンターピンに強制的に食い込ませるので、センターピンにあらかじめ凹部を形成し、この凹部に突起を食い込ませる場合と比較して、突起をセンターピンにしっかりと食い込ませることができる。また、ねじを締め付けるだけで、突起をセンターピンに容易に食い込ませることができる。さらに、突起が面積の大きいバットプレート側に設けられているので、センターピン側に設ける場合と比較して、突起を容易に形成することができる。また、突起が上下方向に延びているので、バットプレートとセンターピンとの相対的な位置関係にかかわらず、突起をセンターピンに確実に食い込ませることができる。
【発明を実施するための最良の形態】
【００１４】
以下、図面を参照しながら、本発明の好ましい実施形態について説明する。図１は、本実施形態によるアップライトピアノのバット４を適用したアクション１を、鍵盤２１およびハンマー３１などとともに、離鍵状態において示している。なお、以下の説明では、演奏者側から見て手前側を「前」、奥側を「後」として説明する。また、同図を含むすべての図面では、便宜上、ハッチングが省略されている。
【００１５】
鍵盤２１は、左右方向（図１の奥行き方向）に並んだ多数の鍵２２（１つのみ図示）によって構成されている。各鍵２２は、筬２３に立設されたバランスピン２３ａに回動自在に支持されている。
【００１６】
ハンマー３１は、鍵２２ごとに設けられており（１つのみ図示）、各ハンマー３１は、ハンマーシャンク３２およびハンマーヘッド３３を有している。ハンマーシャンク３２は、断面円形の細長い棒状に形成され、アクション１の後述するバット４の上面に立設されており、上下方向に延びている。ハンマーヘッド３３は、ハンマーシャンク３２の上端部に設けられており、離鍵状態では、後方に鉛直に張られた弦Ｓに対向している。
【００１７】
アクション１は、鍵盤２１の後端部の上方において、筬２３の左右端部にそれぞれ設けられたブラケット（図示せず）に取り付けられ、左右のブラケットの間に配置されている。また、アクション１は、鍵２２ごとに設けられたウィッペン２、ジャック３およびバット４を有している（各１つのみ図示）。左右のブラケットの間には、センターレール４１およびハンマーレール４２などが渡されており、このセンターレール４１に、ウィッペンフレンジ１０およびバットフレンジ１１が、鍵２２ごとにねじ止めされている（ともに１つのみ図示）。ウィッペン２は、その後端部において、ウィッペンフレンジ１０に回動自在に支持されている。
【００１８】
ウィッペン２は、例えば合成樹脂や木材によって所定の形状に形成されており、その前部から下方に突出するヒール部２ａを有しており、このヒール部２ａを介して、対応する鍵２２の上面後端部に設けられたキャプスタンボタン２２ａに載置されている。ウィッペン２の上面前端部には、バックチェック１２が取り付けられている。また、ウィッペン２の上面のウィッペンフレンジ１０よりも後ろ側の部分には、後述するダンパー４５を駆動するためのスプーン１３が立設されている。
【００１９】
ジャック３は、例えば合成樹脂で構成されており、射出成形によって一体成形されている。ジャック３は、前後方向に延びる基部３ａと、基部３ａの後端部から上方に延びる突上部３ｂを有しており、基部３ａと突上部３ｂとの角部において、ウィッペン２の中央部に回動自在に支持されている。ジャック３の基部３ａとウィッペン２の間には、離鍵時にジャック３を復帰回動させるためのジャックスプリング１４が設けられている。また、基部３ａの上方には、レギュレティングボタン１５が鍵２２ごとに設けられている（１つのみ図示）。このレギュレティングボタン１５は、レギュレティングブラケット１６やレギュレティングレール１７を介して、センターレール４１に固定されている。
【００２０】
前述したバットフレンジ１１は、例えば合成樹脂で構成されており、図２に示すように、左右の両端部に、それぞれ上方に突出するハンマー支持部１１ａ，１１ａを有しており（左側のみ図示）、各ハンマー支持部１１ａには、左右方向に貫通するピン孔１１ｂが形成されている。これらのピン孔１１ｂ，１１ｂには、例えば黄銅で構成された断面円形のセンターピン４ａが、回動自在に挿入されており、左右方向に水平に延びている。なお、センターピン４ａの径は、約１．３ｍｍに設定されている。
【００２１】
バット４は、合成樹脂により所定の形状に形成されたバット本体５と、バット本体５の背面に取り付けられた金属製のバットプレート６を有している。バット本体５の下端部は、他の部分よりも左右方向の幅が小さいピン取付部７になっている。ピン取付部７の背面には、上述したセンターピン４ａにバット本体５を取り付けるためのピン保持溝８が形成されており、このピン保持溝８は、ピン取付部７の背面の左右方向の全体にわたって直線状に水平に延びている。また、ピン保持溝８は、上下一対の傾斜面によって断面Ｖ字形に形成され、両傾斜面は、ピン取付部７の背面に対して互いに同じ所定の角度で傾斜している。
【００２２】
図３に示すように、バットプレート６は、例えば矩形の鋼板で構成されており、その上端部には、孔６ａが形成されている。また、バットプレート６の前面の孔６ａよりも下側の部分には、断面三角形の左右の突起６ｂ，６ｂが形成されている。これらの突起６ｂ，６ｂは、上下方向に直線状に延び、互いに平行に配置されている。また、バットプレート６は、上記の孔６ａを介して、取付ねじ９（固定手段）をバット本体５の背面にねじ込み、締め付けることによって、ピン取付部７に取り付けられており、その背面を覆っている。
【００２３】
また、この取付ねじ９の締め付けによって、バットプレート６の突起６ｂ，６ｂがセンターピン４ａに食い込むとともに（図４参照）、センターピン４ａは、その大部分がピン保持溝８に収容された状態で、ピン取付部７とバットプレート６の間に挟持される。以上の構成により、センターピン４ａは、バット本体５およびバットプレート６と一体になっており、バット４は、センターピン４ａを介してバットフレンジ１１に回動自在に支持されている。
【００２４】
バット本体５の前面には、キャッチャー１８が取り付けられており、キャッチャー１８は、離鍵状態では、前述したバックチェック１２の後方に位置し、これと対向している。以下、バット４、ハンマー３１およびキャッチャー１８を総称して、「ハンマー組立品Ａ」という。さらに、バット４の背面の上端部とバットフレンジ１１の間には、バットスプリング１９が設けられており、それにより、バット４を含むハンマー組立品Ａが、図１の時計回りに付勢されている。
【００２５】
以上の構成のハンマー組立品Ａは、離鍵状態では、ジャック３の突上部３ｂがバット本体５の下面の前端部で構成される被突上部５ａに下方から係合した状態で、静止している。
【００２６】
また、アクション１の後方には、ダンパー４５が鍵２２ごとに設けられている（１つのみ図示）。ダンパー４５は、ダンパーフレンジ４５ａを介してセンターレール４１に回動自在に取り付けられたダンパーレバー４５ｂと、ダンパーレバー４５ｂの上側にダンパーワイヤ４５ｃを介して取り付けられたダンパーヘッド４５ｄと、ダンパーヘッド４５ｄを弦Ｓ側に付勢するダンパーレバースプリング４５ｅなどで構成されている。このダンパー４５は、離鍵時に、ダンパーレバースプリング４５ｅの付勢力により、ダンパーヘッド４５ｄが弦Ｓを押圧することによって、止音動作を行う。
【００２７】
次に、上述したアクション１などの押鍵の開始から離鍵の終了までの一連の動作について説明する。演奏者により離鍵状態の鍵２２が押鍵されると、鍵２２は、バランスピン２３ａを中心として図１の時計回りに回動し、その後端部に載置されたウィッペン２は、鍵２２により突き上げられることによって、上方（反時計回り）に回動する。このウィッペン２の回動に伴い、ジャック３は、ウィッペン２と一緒に上方に移動し、突上部３ｂを介してバット４を突き上げる。これにより、バット４を含むハンマー組立品Ａは、バットスプリング１９の付勢力に抗しながら、センターピン４ａを中心として、後方の弦Ｓに向かって反時計回りに回動する。
【００２８】
押鍵開始後、ウィッペン２が所定の角度まで回動すると、ウィッペン２の後端部に設けられたスプーン１３が、ダンパーレバー４５ｂの下端部に当接し、押圧することによって、ダンパーレバー４５ｂを、ダンパーレバースプリング４５ｅの付勢力に抗して時計回りに回動させる。これにより、ダンパーヘッド４５ｄが弦Ｓから離れ、弦Ｓが振動可能になる。
【００２９】
ウィッペン２がさらに所定の角度まで回動すると、ジャック３の基部３ａがレギュレティングボタン１５に当接する。これにより、ジャック３は、上方への移動が規制されることによって、ウィッペン２に対し、ジャックスプリング１４の付勢力に抗して時計回りに回動し、その突上部３ｂがバット４から前方に外れ（レットオフ）、バット４から離脱する。ハンマー組立品Ａは、ジャック３が離脱した後も慣性によって回動し、ハンマーヘッド３３が弦Ｓを打弦することによって、ピアノ音を発生させる。その後、ハンマー組立品Ａは、弦Ｓの反発力やバットスプリング１９の付勢力によって復帰回動を開始する。そして、押鍵が終了し、鍵２２が離鍵されると、それに伴い、鍵２２およびアクション１などは、押鍵時とは逆方向に復帰回動し、図１に示す離鍵状態に復帰することによって、押鍵の開始から離鍵の終了までの一連の動作が終了する。
【００３０】
以上のような押鍵に伴うハンマー組立品Ａの回動の際、バット本体５やセンターピン４ａには、ジャック３の突き上げや弦Ｓの反発による衝撃力が作用する。本実施形態によれば、バットプレート６の前面に形成された突起６ｂがセンターピン４ａに食い込んでいるので、そのような衝撃力が作用しても、バット本体５およびバットフレンジ１１に対するセンターピン４ａのずれや外れを確実に防止でき、センターピン４ａをバットフレンジ１１に安定して保持することができる。このことは、前述したぶれモーメントがハンマー組立品Ａに作用した場合にも同様である。
【００３１】
また、突起６ｂを取付ねじ９の締め付けによりセンターピン４ａに強制的に食い込ませるので、センターピン４ａにあらかじめ凹部を形成し、この凹部に突起６ｂを食い込ませる場合と比較して、突起６ｂをセンターピン４ａにしっかりと食い込ませることができる。さらに、取付ねじ９を締め付けるだけで、突起６ｂをセンターピン４ａに容易に食い込ませることができる。また、突起６ｂが面積の大きいバットプレート６側に形成されているので、センターピン４ａ側に形成する場合と比較して、突起６ｂを容易に形成することができる。さらに、突起６ｂが上下方向に延びているので、バットプレート６とセンターピン４ａとの相対的な位置関係にかかわらず、突起６ｂをセンターピン４ａに確実に食い込ませることができる。
【００３２】
図５は、センターピンの他の例を示している。このセンターピン５１には、突起６ｂ，６ｂに対応する位置に、上下方向に若干、延びる左右の凹溝５１ａ，５１ａが形成されている。突起６ｂ，６ｂは、バットプレート６の取付の際に、これらの凹溝５１ａ，５１ａに、位置合わせされた後、取付ねじ９の締め付けによって食い込まされる。したがって、この場合にも、センターピン５１のずれや外れを確実に防止することができる。
【００３３】
なお、本発明は、説明した実施形態に限定されることなく、種々の態様で実施することができる。例えば、実施形態では、取付ねじ９によって、バットプレート６をバット本体５の背面に固定しているが、他の適当な手段によって、例えば、接着によって固定してもよいことはもちろんである。また、実施形態では、突起６ｂの数が２つであるが、この突起の数は、例えば１つまたは３つ以上としてもよく、後者の場合には、センターピン４ａ、５１のずれや外れをさらに確実に防止できる。
【００３４】
さらに、実施形態では、突起６ｂが直線状のものであるが、スポット状のものでもよく、例えば、円錐形または角錐形の突起としてもよい。また、実施形態では、取付ねじ９の締め付けによって、突起６ｂをセンターピン４ａに食い込ませているが、他の適当な方法によって、例えばプレスによって、突起６ｂを食い込ませてもよい。さらに、実施形態では、突起６ｂ，６ｂを、バットプレート６の前面に形成しているが、センターピン４ａ側に形成してもよい。その他、本発明の趣旨の範囲内で、細部の構成を適宜、変更することが可能である。
【図面の簡単な説明】
【００３５】
【図１】本実施形態によるバットを適用したアップライトピアノのアクションを、鍵盤およびハンマーなどとともに、離鍵状態において示す側断面図である。
【図２】図１のバットなどを、バットフレンジおよびセンターピンを破断した状態で示す部分拡大図である。
【図３】図２のバットプレートの斜視図である。
【図４】センターピンおよびバットプレートの一部を拡大して示す平面図である。
【図５】変形例によるセンターピンとバットプレートの一部を拡大して示す平面図である。
【符号の説明】
【００３６】
４  バット
４ａ  センターピン
５  バット本体
６  バットプレート
６ｂ  突起
９  取付ねじ（固定手段）
１１  バットフレンジ
１１ｂ  ピン孔
２２  鍵
３１  ハンマー
Ｓ  弦
【図１】
2007206450.tif 000003
【図２】
2007206450.tif 000004
【図３】
2007206450.tif 000005
【図４】
2007206450.tif 000006
【図５】
2007206450.tif 000007